(57)【特許請求の範囲】
【請求項１】
スマホのフィルム自動貼付装置であって、
本体（１０）と、前記本体（１０）に設けられる洗浄空間（３２）と、前記洗浄空間（３２）に設けられる洗浄装置と、前記洗浄装置の左側に設けられるフィルム押圧装置と、前記フィルム押圧装置の後側に設けられるフィルム置き装置と、前記フィルム押圧装置の下側に設けられる滑り落ち装置と、前記滑り落ち装置の左右両側に設けられる引き動かし装置と、を含み、前記洗浄装置は、前記洗浄空間（３２）の上側壁に固定して設けられる第三電磁軌道（３０）と、前記第三電磁軌道（３０）内に往復摺動可能に設けられる第三電磁ブロック（３１）と、前記第三電磁ブロック（３１）の下側に固定して設けられるリンク（３４）と、前記リンク（３４）の下側に固定して設けられる接続曲がり棒（８１）と、前記接続曲がり棒（８１）に回転自在に設けられる中空軸（３６）と、前記中空軸（３６）に固定して設けられる拭きローター（３８）と、前記中空軸（３６）に固定して設けられる伸縮管（７４４）と、前記中空軸（３６）の前側に固定して設けられる歯車（３７）と、前記洗浄空間（３２）の左側壁に固定して設けられるラック（３５）と、前記洗浄空間（３２）の左側壁に固定して設けられる固定棒（６３）と、前記固定棒（６３）に形成される第三摺動溝（６４）と、前記第三摺動溝（６４）に摺動可能に設けられる当接棒（６６）と、前記当接棒（６６）の左端面と前記第三摺動溝（６４）の左側壁との間に固定して設けられる第三圧縮ばね（６５）と、前記当接棒（６６）に形成される第四摺動溝（６９）と、前記第四摺動溝（６９）に摺動可能に設けられる埃へら板（６７）と、前記埃へら板（６７）の上端面と前記第四摺動溝（６９）の左側壁との間に固定して設けられる第四圧縮ばね（６８）と、前記当接棒（６６）の下端面に固定して設けられる当接短板（７０）と、を含み、
前記歯車（３７）は、前記ラック（３５）と噛み合うことができ、
前記拭きローター（３８）は、前記当接短板（７０）と当接することができる、
ことを特徴とするスマホのフィルム自動貼付装置。
【請求項２】
前記洗浄装置は、前記洗浄空間（３２）の下側に形成される第二摺動溝（４１）と、前記第二摺動溝（４１）内に摺動可能に設けられる昇降板（４０）と、前記昇降板（４０）の下端面と前記第二摺動溝（４１）の下側壁との間に対称に固定して設けられる二つの第一圧縮ばね（４２）と、前記昇降板（４０）の上端面に往復摺動可能に設けられるスマホホルダー（３９）と、前記第二摺動溝（４１）の下側壁に固定して設けられるエアシリンダー（４４）と、前記エアシリンダー（４４）内に摺動可能に設けられるエア駆動棒（４３）と、前記エアシリンダー（４４）の下端面に連通して設けられるエアパイプ（４５）と、前記洗浄空間（３２）の後側に形成される液体貯蔵溝（７３３）と、前記液体貯蔵溝（７３３）の上側に連通して形成される連通溝（７２２）と、前記連通溝（７２２）の上側に固定して設けれる逆止弁（７１１）と、を含み、
前記エア駆動棒（４３）と前記昇降板（４０）の下端面とは、固定して接続され、
前記エアパイプ（４５）は、前記液体貯蔵溝（７３３）と連通して設けられ、
前記液体貯蔵溝（７３３）は、前記伸縮管（７４４）と連通して形成され、
前記液体貯蔵溝（７３３）には、酒精溶液があり、
前記伸縮管（７４４）において前記中空軸（３６）内に位置する部分には、前記拭きローター（３８）と連通する複数の小孔が形成され、
前記第二摺動溝（４１）の左側には、埃が前記本体（１０）から落ちるための埃落ち通路が形成される、
ことを特徴とする請求項１に記載のスマホのフィルム自動貼付装置。
【請求項３】
前記洗浄装置は、前記洗浄空間（３２）の右側壁に固定して設けられるファン（３３）を含む、
ことを特徴とする請求項１に記載のスマホのフィルム自動貼付装置。
【請求項４】
前記フィルム押圧装置は、前記洗浄空間（３２）の左側に設けられる仕事空間（１８）と、前記仕事空間（１８）の上側に連通して設けられるフィルム入空間（１７）と、前記フィルム入空間（１７）の上側壁に固定して設けられる固定板（１１）と、前記固定板（１１）の下端面に固定して設けられる二つのフィルム吸引構成材と、を含み、前記フィルム吸引構成材は、前記固定板（１１）の下端面に固定して設けられる第一電磁軌道（１２）と、前記第一電磁軌道（１２）内に摺動可能に設けられる第一電磁ブロック（１３）と、前記第一電磁ブロック（１３）の下端面に固定して設けられる第一液圧シリンダー（１４）と、前記第一液圧シリンダー（１４）に形成される液圧溝（１５）と、前記液圧溝（１５）に摺動可能に設けられる液圧棒（１６）と、前記液圧棒（１６）の下端に固定して設けられる吸盤（５８）と、前記吸盤（５８）に固定して設けられる固定板（５９）と、前記固定板（５９）に形成される摺動溝と、前記摺動溝に摺動可能に設けられる摺動板（６１）と、前記摺動溝の一側壁と前記摺動板（６１）の一端面との間に固定して設けられる第二圧縮ばね（６０）と、前記摺動板（６１）に設けられる通気孔（６２）と、を含み、
前記摺動板（６１）が左方へ前記吸盤（５８）を貫通して前記仕事空間（１８）内に延在し、
前記摺動板（６１）は、前記吸盤（５８）と摺動可能に接続される、
ことを特徴とする請求項１に記載のスマホのフィルム自動貼付装置。
【請求項５】
前記フィルム押圧装置は、前記仕事空間（１８）の左側壁に固定して設けられる磁性板（５７）と、前記仕事空間（１８）の前後側壁に固定して設けられる二つの第二電磁軌道（１９）と、二つの前記第二電磁軌道（１９）の間に摺動可能に設けられる第二電磁ブロック（５１）と、前記第二電磁ブロック（５１）に形成される翻転溝（５２）と、前記第二電磁ブロック（５１）の前後側壁の間に固定して設けられる翻転軸（５６）と、前記翻転軸（５６）に回転自在に設けられる磁性棒（５３）と、前記翻転軸（５６）に固定して設けられるねじりばね（５５）と、前記磁性棒（５３）の下端面に固定して設けられる翻転棒（５４）と、前記翻転溝（５２）の後側に形成される通し溝（７１）と、前記翻転棒（５４）に形成される第五摺動溝（７２）と、前記第五摺動溝（７２）に摺動可能に設けられる翻転長棒（７４）と、前記翻転長棒（７４）の前端面と前記第五摺動溝（７２）の前側壁との間に固定して設けられる第五圧縮ばね（７３）と、前記第二電磁ブロック（５１）の下端面に固定して設けられるへら板（５０）と、後側の前記第二電磁軌道（１９）に形成される第一摺動溝（２０）と、前記第一摺動溝（２０）に固定して設けられる翻転ブロック（２１）と、を含み、
前記磁性板（５７）は、磁性材料から作られ、
前記磁性板（５７）は、左側の前記フィルム吸引構成材における前記摺動板（６１）と磁性により互いに吸引することができ、
前記磁性棒（５３）は、磁性材料から作られ、
前記磁性棒（５３）は、右側の前記フィルム吸引構成材における前記摺動板（６１）と磁性により互いに吸引することができ、
前記翻転長棒（７４）は、前記第二電磁軌道（１９）と当接して設けられ、
前記翻転長棒（７４）は、前記翻転ブロック（２１）と当接でき、
前記ねじりばね（５５）は、一端が前記翻転軸（５６）と固定して接続され、他端が前記磁性棒（５３）と固定して接続される、
ことを特徴とする請求項４に記載のスマホのフィルム自動貼付装置。
【請求項６】
前記フィルム置き装置は、前記本体（１０）の後側面に固定して設けられるフィルム置き板（７６）と、前記フィルム置き板（７６）に固定して設けられる第二バックル（７５）と、前記フィルム置き板（７６）の後端にヒンジ接続される圧着棒（７７）と、前記圧着棒（７７）に固定して設けられる圧着ブロック（７８）と、前記圧着ブロック（７８）に固定して設けられる第一バックル（７９）と、前記第一バックル（７９）に固定して設けられる引きリング（８０）と、を含み、
前記第一バックル（７９）は、前記第二バックル（７５）と当接できる、
ことを特徴とする請求項１に記載のスマホのフィルム自動貼付装置。
【請求項７】
前記滑り落ち装置は、前記仕事空間（１８）の下側に設けられる滑り落ち空間（２７）と、前記滑り落ち空間（２７）の後側壁にヒンジ接続される滑り落ち板（２６）と、前記滑り落ち空間（２７）の下側壁に固定して設けられる二つの第二液圧シリンダー（２９）と、それぞれ各前記第二液圧シリンダー（２９）に摺動可能に設けられる二つの第二液圧棒（２８）と、を含み、
前記第二液圧棒（２８）が前記滑り落ち板（２６）の下端面に固定して接続されることを特徴とする請求項４に記載のスマホのフィルム自動貼付装置。
【請求項８】
前記引き動かし装置は、前記第二摺動溝（４１）の下側に設けられる第二引き動かし空間（４６）と、前記第二引き動かし空間（４６）の前後側壁の間に回転自在に設けられる第二引き動かし盤軸（４８）と、前記第二引き動かし盤軸（４８）に固定して設けられる第二引き動かし盤（４７）と、前記第二引き動かし盤（４７）に固定して設けられる引き動かし縄（４９）と、前記滑り落ち空間（２７）の左側に設けられる第一引き動かし空間（２２）と、前記第一引き動かし空間（２２）の前後側壁の間に回転自在に設けられる第一引き動かし盤軸（２４）と、前記第一引き動かし盤軸（２４）に固定して設けられる第一引き動かし盤（２３）と、前記第一引き動かし盤（２３）に固定して設けられる引き動かしロープ（２５）と、を含み、
前記引き動かしロープ（２５）と前記スマホホルダー（３９）の左端面とが固定して接続され、
前記引き動かし縄（４９）と前記スマホホルダー（３９）の右端面とが固定して接続され、
前記第二引き動かし盤軸（４８）は、前記第二引き動かし盤軸（４８）の後に設けられるモータの出力端と固定して接続され、
前記第一引き動かし盤軸（２４）は、前記第一引き動かし盤軸（２４）の後に設けられるモータの出力端と固定して接続される、
ことを特徴とする請求項２に記載のスマホのフィルム自動貼付装置。
【発明の詳細な説明】
【技術分野】
【０００１】
本発明は電子機器分野に関し、具体的には、スマホのフィルム自動貼付装置に関する。
【背景技術】
【０００２】
科学技術の発展に従い、スマホが普及され、スクリーンのサイズも大きくなる。スクリーンは破砕しやすいため、フィルムを貼り付けて保護する必要がある。貼り付けたフィルムに泡があると、美観に影響する。精密性と安定性を有する装置を利用してフィルムを貼り付ければ、手間を省く上に、貼付品質を保証できるため、自動的にフィルムを貼り付けられる装置は必要である。
【先行技術文献】
【特許文献】
【０００３】
【特許文献１】中国特許出願公開第１１１２１６３５４号明細書
【発明の概要】
【発明が解決しようとする課題】
【０００４】
本発明は、上記の技術的課題を解決するために、スマホのフィルム自動貼付装置を提供し、自動的にスマホのスクリーンと自身に対し洗浄を行うことを実現することを目的とする。
【課題を解決するための手段】
【０００５】
上記の目的を実現するために、本発明のスマホのフィルム自動貼付装置は、本体と、前記本体に設けられる洗浄空間と、前記洗浄空間に設けられる洗浄装置と、前記洗浄装置の左側に設けられるフィルム押圧装置と、前記フィルム押圧装置の後側に設けられるフィルム置き装置と、前記フィルム押圧装置の下側に設けられる滑り落ち装置と、前記滑り落ち装置の左右両側に設けられる引き動かし装置と、を含み、前記洗浄装置は、前記洗浄空間の上側壁に固定して設けられる第三電磁軌道と、前記第三電磁軌道内に往復摺動可能に設けられる第三電磁ブロックと、前記第三電磁ブロックの下側に固定して設けられるリンクと、前記リンクの下側に固定して設けられる接続曲がり棒と、前記接続曲がり棒に回転自在に設けられる中空軸と、前記中空軸に固定して設けられる拭きローターと、前記中空軸に固定して設けられる伸縮管と、前記中空軸の前側に固定して設けられる歯車と、前記洗浄空間の左側壁に固定して設けられるラックと、前記洗浄空間の左側壁に固定して設けられる固定棒と、前記固定棒に形成される第三摺動溝と、前記第三摺動溝に摺動可能に設けられる当接棒と、前記当接棒の左端面と前記第三摺動溝の左側壁との間に固定して設けられる第三圧縮ばねと、前記当接棒に形成される第四摺動溝と、前記第四摺動溝に摺動可能に設けられる埃へら板と、前記埃へら板の上端面と前記第四摺動溝の左側壁との間に固定して設けられる第四圧縮ばねと、前記当接棒の下端面に固定して設けられる当接短板と、を含み、前記歯車は、前記ラックと噛み合うことができ、前記拭きローターは、前記当接短板と当接することができる。
【０００６】
前記洗浄装置は、前記洗浄空間の下側に形成される第二摺動溝と、前記第二摺動溝内に摺動可能に設けられる昇降板と、前記昇降板の下端面と前記第二摺動溝の下側壁との間に対称に固定して設けられる二つの第一圧縮ばねと、前記昇降板の上端面に往復摺動可能に設けられるスマホホルダーと、前記第二摺動溝の下側壁に固定して設けられるエアシリンダーと、前記エアシリンダー内に摺動可能に設けられるエア駆動棒と、前記エアシリンダーの下端面に連通して設けられるエアパイプと、前記洗浄空間の後側に形成される液体貯蔵溝と、前記液体貯蔵溝の上側に連通して形成される連通溝と、前記連通溝の上側に固定して設けれる逆止弁と、を含み、前記エア駆動棒と前記昇降板の下端面とは、固定して接続され、前記エアパイプは、前記液体貯蔵溝と連通して設けられ、前記液体貯蔵溝は、前記伸縮管と連通して形成され、前記液体貯蔵溝には、酒精溶液があり、前記連通溝は、周知技術であるため省略され、前記伸縮管において前記中空軸内に位置する部分には、前記拭きローターと連通する複数の小孔が形成され、前記第二摺動溝の左側には、埃が前記本体から落ちるための埃落ち通路が形成される。
【０００７】
前記洗浄装置は、前記洗浄空間の右側壁に固定して設けられるファンを含む。
【０００８】
前記フィルム押圧装置は、前記洗浄空間の左側に設けられる仕事空間と、前記仕事空間の上側に連通して設けられるフィルム入空間と、前記フィルム入空間の上側壁に固定して設けられる固定板と、前記固定板の下端面に固定して設けられる二つのフィルム吸引構成材と、を含み、前記フィルム吸引構成材は、前記固定板の下端面に固定して設けられる第一電磁軌道と、前記第一電磁軌道内に摺動可能に設けられる第一電磁ブロックと、前記第一電磁ブロックの下端面に固定して設けられる第一液圧シリンダーと、前記第一液圧シリンダーに形成される液圧溝と、前記液圧溝に摺動可能に設けられる液圧棒と、前記液圧棒の下端に固定して設けられる吸盤と、前記吸盤に固定して設けられる固定板と、前記固定板に形成される摺動溝と、前記摺動溝に摺動可能に設けられる摺動板と、前記摺動溝の一側壁と前記摺動板の一端面との間に固定して設けられる第二圧縮ばねと、前記摺動板に設けられる通気孔と、を含み、前記摺動板が左方へ前記吸盤を貫通して前記仕事空間内に延在し、前記摺動板は、前記吸盤と摺動可能に接続される。
【０００９】
前記フィルム押圧装置は、前記仕事空間の左側壁に固定して設けられる磁性板と、前記仕事空間の前後側壁に固定して設けられる二つの第二電磁軌道と、二つの前記第二電磁軌道の間に摺動可能に設けられる第二電磁ブロックと、前記第二電磁ブロックに形成される翻転溝と、前記第二電磁ブロックの前後側壁の間に固定して設けられる翻転軸と、前記翻転軸に回転自在に設けられる磁性棒と、前記翻転軸に固定して設けられるねじりばねと、前記磁性棒の下端面に固定して設けられる翻転棒と、前記翻転溝の後側に形成される通し溝と、前記翻転棒に形成される第五摺動溝と、前記第五摺動溝に摺動可能に設けられる翻転長棒と、前記翻転長棒の前端面と前記第五摺動溝の前側壁との間に固定して設けられる第五圧縮ばねと、前記第二電磁ブロックの下端面に固定して設けられるへら板と、後側の前記第二電磁軌道に形成される第一摺動溝と、前記第一摺動溝に固定して設けられる翻転ブロックと、を含み、前記磁性板は、磁性材料から作られ、前記磁性板は、左側の前記フィルム吸引構成材における前記摺動板と磁性により互いに吸引することができ、前記磁性棒は、磁性材料から作られ、前記磁性棒は、右側の前記フィルム吸引構成材における前記摺動板と磁性により互いに吸引することができ、前記翻転長棒は、前記第二電磁軌道と当接して設けられ、前記翻転長棒は、前記翻転ブロックと当接でき、前記ねじりばねは、一端が前記翻転軸と固定して接続され、他端が前記磁性棒と固定して接続される。
【００１０】
前記フィルム置き装置は、前記本体の後側面に固定して設けられるフィルム置き板と、前記フィルム置き板に固定して設けられる第二バックルと、前記フィルム置き板の後端にヒンジ接続される圧着棒と、前記圧着棒に固定して設けられる圧着ブロックと、前記圧着ブロックに固定して設けられる第一バックルと、前記第一バックルに固定して設けられる引きリングと、を含み、前記第一バックルは、前記第二バックルと当接できる。
【００１１】
前記滑り落ち装置は、前記仕事空間の下側に設けられる滑り落ち空間と、前記滑り落ち空間の後側壁にヒンジ接続される滑り落ち板と、前記滑り落ち空間の下側壁に固定して設けられる二つの第二液圧シリンダーと、それぞれ各前記第二液圧シリンダーに摺動可能に設けられる二つの第二液圧棒と、を含み、前記第二液圧棒が前記滑り落ち板の下端面に固定して接続される。
【００１２】
前記引き動かし装置は、前記第二摺動溝の下側に設けられる第二引き動かし空間と、前記第二引き動かし空間の前後側壁の間に回転自在に設けられる第二引き動かし盤軸と、前記第二引き動かし盤軸に固定して設けられる第二引き動かし盤と、前記第二引き動かし盤に固定して設けられる引き動かし縄と、前記滑り落ち空間の左側に設けられる第一引き動かし空間と、前記第一引き動かし空間の前後側壁の間に回転自在に設けられる第一引き動かし盤軸と、前記第一引き動かし盤軸に固定して設けられる第一引き動かし盤と、前記第一引き動かし盤に固定して設けられる引き動かしロープと、を含み、前記引き動かしロープと前記スマホホルダーの左端面とが固定して接続され、前記引き動かし縄と前記スマホホルダーの右端面とが固定して接続され、前記第二引き動かし盤軸は、前記第二引き動かし盤軸の後に設けられるモータの出力端と固定して接続され、前記第一引き動かし盤軸は、前記第一引き動かし盤軸の後に設けられるモータの出力端と固定して接続される。
【発明の効果】
【００１３】
本発明に関わるスマホのフィルム自動貼付装置は、従来技術と比べ、下記のメリットを有する。
【００１４】
本発明に関わるスマホのフィルム自動貼付装置は、構造が簡単であり、フィルムを貼り付ける前に、洗浄装置がスマホのスクリーンを洗浄すると同時にセルフクリーニングを行うことで、何度使用しても洗浄効果が悪くならず、また、本発明の装置が非作動時に、酒精が揮発して浪費になることを回避するように、酒精の流出を制御することができ、さらに、左から右まで順次に下降してフィルムを押圧するため、泡を生じさせなくなる。
【図面の簡単な説明】
【００１５】
本願に記載の各方向が、図１と同じ向きに装置を見た際の方向である。
【００１６】
【図１】スマホのフィルム自動貼付装置の構造図である。
【図２】図１のＡ―Ａ線に沿うはしご型断面図である。
【図３】図１のＢ―Ｂ線に沿う断面図である。
【図４】図１のＣ―Ｃ線に沿う断面図である。
【図５】図１におけるＤの部分の局部拡大図である。
【図６】図２のＥ―Ｅ線に沿う局部断面図である。
【図７】図６のＦ―Ｆ線に沿う局部断面図である。
【図８】図４におけるＧの部分の局部拡大図である。
【発明を実施するための形態】
【００１７】
以下、図１〜図８を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００１８】
図１〜８に示すように、スマホのフィルム自動貼付装置であって、本体１０と、本体１０に設けられる洗浄空間３２と、洗浄空間３２に設けられる洗浄装置と、洗浄装置の左側に設けられるフィルム押圧装置と、フィルム押圧装置の後側に設けられるフィルム置き装置と、フィルム押圧装置の下側に設けられる滑り落ち装置と、滑り落ち装置の左右両側に設けられる引き動かし装置と、を含み、洗浄装置は、洗浄空間３２の上側壁に固定して設けられる第三電磁軌道３０と、第三電磁軌道３０内に往復摺動可能に設けられる第三電磁ブロック３１と、第三電磁ブロック３１の下側に固定して設けられるリンク３４と、リンク３４の下側に固定して設けられる接続曲がり棒８１と、接続曲がり棒８１に回転自在に設けられる中空軸３６と、中空軸３６に固定して設けられる拭きローター３８と、中空軸３６に固定して設けられる伸縮管７４４と、中空軸３６の前側に固定して設けられる歯車３７と、洗浄空間３２の左側壁に固定して設けられるラック３５と、洗浄空間３２の左側壁に固定して設けられる固定棒６３と、固定棒６３に形成される第三摺動溝６４と、第三摺動溝６４に摺動可能に設けられる当接棒６６と、当接棒６６の左端面と第三摺動溝６４の左側壁との間に固定して設けられる第三圧縮ばね６５と、当接棒６６に形成される第四摺動溝６９と、第四摺動溝６９に摺動可能に設けられる埃へら板６７と、埃へら板６７の上端面と第四摺動溝６９の左側壁との間に固定して設けられる第四圧縮ばね６８と、当接棒６６の下端面に固定して設けられる当接短板７０と、を含み、歯車３７は、ラック３５と噛み合うことができ、拭きローター３８は、当接短板７０と当接することができ、第三電磁ブロック３１は、従来技術であるため省略され、拭きローター３８は、吸着性を有する軟質物によって作られる。
【００１９】
洗浄装置は、洗浄空間３２の下側に形成される第二摺動溝４１と、第二摺動溝４１内に摺動可能に設けられる昇降板４０と、昇降板４０の下端面と第二摺動溝４１の下側壁との間に対称に固定して設けられる二つの第一圧縮ばね４２と、昇降板４０の上端面に往復摺動可能に設けられるスマホホルダー３９と、第二摺動溝４１の下側壁に固定して設けられるエアシリンダー４４と、エアシリンダー４４内に摺動可能に設けられるエア駆動棒４３と、エアシリンダー４４の下端面に連通して設けられるエアパイプ４５と、洗浄空間３２の後側に形成される液体貯蔵溝７３３と、液体貯蔵溝７３３の上側に連通して形成される連通溝７２２と、連通溝７２２の上側に固定して設けられる逆止弁７１１と、を含み、エア駆動棒４３と昇降板４０の下端面とは、固定して接続され、エアパイプ４５は、液体貯蔵溝７３３と連通して設けられ、液体貯蔵溝７３３は、伸縮管７４４と連通して形成され、液体貯蔵溝７３３には、酒精溶液があり、連通溝７２２は、周知技術であるため省略され、伸縮管７４４において中空軸３６内に位置する部分には、拭きローター３８と連通する複数の小孔が形成され、第二摺動溝４１の左側には、埃が本体１０から落ちるための埃落ち通路が形成される。
【００２０】
洗浄装置は、洗浄空間３２の右側壁に固定して設けられるファン３３を含み、ファン３３は、従来技術であるため省略され、スマホを洗浄空間３２における右側の開口から洗浄空間３２内に置いた時、スマホの重力によってスマホホルダー３９と昇降板４０が下降し、昇降板４０が第一圧縮ばね４２を圧縮しながらエア駆動棒４３を下方に摺動連動させ、エア駆動棒４３がエアシリンダー４４内の空気を圧縮し、空気がエアパイプ４５を通って液体貯蔵溝７３３内に入り、液体貯蔵溝７３３内の圧力の強さが大きくなるため、液体貯蔵溝７３３内の酒精溶液が伸縮管７４４を通って拭きローター３８内に入り、第三電磁ブロック３１を起動し、第三電磁ブロック３１が第三電磁軌道３０の内部で右方に摺動し、リンク３４が右方に連動して中空軸３６を右方に連動させ、中空軸３６が拭きローター３８を右方に連動させ、拭きローター３８がスマホのスクリーンの表面を摺動してきれいに拭き、第三電磁ブロック３１が第三電磁軌道３０の一番右側に移動した時、第三電磁ブロック３１が左方に移動してリンク３４を左方に連動させ、リンク３４が中空軸３６を左方に連動させ、中空軸３６が拭きローター３８を左方に連動させ、スマホのスクリーンが再び拭かれ、埃が全部拭き取られた後、中空軸３６が歯車３７とラック３５とが噛み合うまで左方に移動した時、歯車の係合作用によって、歯車３７が回転して中空軸３６を回転させるとともに、拭きローター３８が当接短板７０と当接し、中空軸３６が回転して拭きローター３８を回転させ、拭きローター３８が回転している間に、埃へら板６７が拭きローター３８の表面に付着の埃をこすりおとすと同時に第四圧縮ばね６８を圧縮し、拭きローター３８は引き続き左方に移動している間には当接短板７０によって当接棒６６を連動させて第三圧縮ばね６５を第三摺動溝６４内まで圧縮し、この時に一つの仕事プロセスが終わり、第三電磁ブロック３１が再び起動すると、リンク３４が右方に移動し、リンク３４が拭きローター３８を右方に連動させ、拭きローター３８が当接短板７０と当接しなくなる時、第四圧縮ばね６８が埃へら板６７を第四摺動溝６９からはじき出し、埃が埃落ち通路から本体１０に排出されると同時に、ファン３３を起動することで、スマホのスクリーンの表面の酒精溶液の揮発を加速させることができ、伸縮管７４４を設置することで、スマホを本体１０に置くと、酒精が液体貯蔵溝７３３から拭きローター３８に入り、拭きローター３８がまた左右に往復移動してスマホのスクリーンの表面の埃を除くことができ、また、埃へら板６７と第四摺動溝６９を設置することで、拭きローター３８のセルフクリーニングを実現し、次の仕事プロセスを行う時に、拭きローター３８の表面に吸着の埃によって、スマホのスクリーンに対する洗浄効果がよくないことを回避することができる。
【００２１】
フィルム押圧装置は、洗浄空間３２の左側に設けられる仕事空間１８と、仕事空間１８の上側に連通して設けられるフィルム入空間１７と、フィルム入空間１７の上側壁に固定して設けられる固定板１１と、固定板１１の下端面に固定して設けられる二つのフィルム吸引構成材と、を含み、フィルム吸引構成材は、固定板１１の下端面に固定して設けられる第一電磁軌道１２と、第一電磁軌道１２内に摺動可能に設けられる第一電磁ブロック１３と、第一電磁ブロック１３の下端面に固定して設けられる第一液圧シリンダー１４と、第一液圧シリンダー１４に形成される液圧溝１５と、液圧溝１５に摺動可能に設けられる液圧棒１６と、液圧棒１６の下端に固定して設けられる吸盤５８と、吸盤５８に固定して設けられる固定板５９と、固定板５９に形成される摺動溝と、摺動溝に摺動可能に設けられる摺動板６１と、摺動溝の一側壁と摺動板６１の一端面との間に固定して設けられる第二圧縮ばね６０と、摺動板６１に設けられる通気孔６２と、を含み、摺動板６１が左方へ吸盤５８を貫通して仕事空間１８内に延在し、摺動板６１は、吸盤５８と摺動可能に接続され、第一電磁ブロック１３は、従来技術であるため省略される。
【００２２】
フィルム押圧装置は、仕事空間１８の左側壁に固定して設けられる磁性板５７と、仕事空間１８の前後側壁に固定して設けられる二つの第二電磁軌道１９と、二つの第二電磁軌道１９の間に摺動可能に設けられる第二電磁ブロック５１と、第二電磁ブロック５１に形成される翻転溝５２と、第二電磁ブロック５１の前後側壁の間に固定して設けられる翻転軸５６と、翻転軸５６に回転自在に設けられる磁性棒５３と、翻転軸５６に固定して設けられるねじりばね５５と、磁性棒５３の下端面に固定して設けられる翻転棒５４と、翻転溝５２の後側に形成される通し溝７１と、翻転棒５４に形成される第五摺動溝７２と、第五摺動溝７２に摺動可能に設けられる翻転長棒７４と、翻転長棒７４の前端面と第五摺動溝７２の前側壁との間に固定して設けられる第五圧縮ばね７３と、第二電磁ブロック５１の下端面に固定して設けられるへら板５０と、後側の第二電磁軌道１９に形成される第一摺動溝２０と、第一摺動溝２０に固定して設けられる翻転ブロック２１と、を含み、磁性板５７は、磁性材料から作られ、磁性板５７は、左側のフィルム吸引構成材における摺動板６１と磁性により互いに吸引することができ、磁性棒５３は、磁性材料から作られ、磁性棒５３は、右側のフィルム吸引構成材における摺動板６１と磁性により互いに吸引することができ、翻転長棒７４は、第二電磁軌道１９と当接して設けられ、翻転長棒７４は、翻転ブロック２１と当接でき、ねじりばね５５は、一端が翻転軸５６と固定して接続され、他端が磁性棒５３と固定して接続され、第一液圧シリンダー１４を起動すると、第一液圧シリンダー１４が液圧棒１６を下方に移動させ、液圧棒１６が吸盤５８を下方に移動させ、液圧棒１６が液圧溝１５の底部まで移動した時、第一液圧シリンダー１４を止め、左側の摺動板６１と磁性板５７とが面一になり、磁性板５７の磁性作用によって、左側の摺動板６１が左方に連動して第二圧縮ばね６０を引っ張るとともに、左側の通気孔６２における左側の開口が仕事空間１８と連通するため、吸盤５８が密封されなくなり、フィルムの左端が重力によって吸盤５８の吸着作用に影響されずに吸盤５８の下方から脱落すると同時に、第二電磁ブロック５１を起動し、第二電磁ブロック５１がへら板５０を右方に連動させ、フィルムを左方から右方までスマホのスクリーンに圧着し、第二電磁ブロック５１が引き続き移動し、磁性棒５３が右方に連動して翻転棒５４を右方に連動させ、翻転棒５４が翻転長棒７４を右方に連動させ、翻転長棒７４が第一摺動溝２０に入る時、翻転長棒７４が第五圧縮ばね７３の弾力作用によって第一摺動溝２０の後側壁と当接し、翻転長棒７４と翻転ブロック２１とが当接すると、翻転長棒７４と翻転ブロック２１との間シリンダー用および翻転ブロック２１の特殊な形状によって、翻転長棒７４が翻転すると同時に翻転棒５４が連動して翻転し、翻転棒５４が磁性棒５３を連動させて翻転させ、これによって磁性棒５３が第二電磁ブロック５１の上端面に対し垂直となり、磁性棒５３がだんだん右側の摺動板６１に近づく時に、磁性棒５３の磁力によって右側の磁性棒５３が右側の第二圧縮ばね６０を引っ張り、右側の通気孔６２における左端の開口が仕事空間１８と連通し、吸盤５８の内部が密封されなくなり、フィルムの右端が吸盤５８から脱落し、翻転長棒７４と翻転ブロック２１とが当接しなくなると、ねじりばね５５の作用によって翻転溝５２と翻転棒５４とが復位すると同時に、第二電磁ブロック５１が移動している間には、へら板５０がフィルムの右端をスマホのスクリーンの表面に圧着し、第一液圧シリンダー１４を起動して液圧棒１６を復位させるとともに、吸盤５８を復位させ、第二電磁ブロック５１が第二電磁軌道１９の一番右端に移動した時、第二電磁ブロック５１を反方向に起動し、再びフィルムを押圧し、第二電磁ブロック５１が第二電磁軌道１９の一番左端に移動した時、第二電磁ブロック５１を止め、仕事プロセスが終わり、摺動板６１と磁性板５７を設置することで、フィルムを休館５８から脱落させることを実現し、磁性棒５３を設置することで、フィルムの右端を吸盤５８から脱落させることを実現し、まずフィルムの左端をスマホのスクリーンに圧着してからフィルムの右端をスマホのスクリーンに圧着することで、フィルムの左右両端が同時にスマホのスクリーンと接触することによって泡が生じることを回避でき、また、第二電磁ブロック５１の左右移動によって、フィルムを繰り返して圧着し、圧着効果を強化する。
【００２３】
フィルム置き装置は、本体１０の後側面に固定して設けられるフィルム置き板７６と、フィルム置き板７６に固定して設けられる第二バックル７５と、フィルム置き板７６の後端にヒンジ接続される圧着棒７７と、圧着棒７７に固定して設けられる圧着ブロック７８と、圧着ブロック７８に固定して設けられる第一バックル７９と、第一バックル７９に固定して設けられる引きリング８０と、を含み、第一バックル７９は、第二バックル７５と当接でき、フィルムをフィルム置き板７６に置き、圧着棒７７を押し、圧着ブロック７８がフィルムの吸着面に貼られている保護シートのシール部分を圧着ブロック７８とフィルム置き板７６との間に押すとともに、第一バックル７９と第二バックル７５とが当接し、圧着棒７７とフィルム置き板７６とをずっと圧着する状態にする。
【００２４】
滑り落ち装置は、仕事空間１８の下側に設けられる滑り落ち空間２７と、滑り落ち空間２７の後側壁にヒンジ接続される滑り落ち板２６と、滑り落ち空間２７の下側壁に固定して設けられる二つの第二液圧シリンダー２９と、それぞれ各第二液圧シリンダー２９に摺動可能に設けられる二つの第二液圧棒２８と、を含み、第二液圧棒２８が滑り落ち板２６の下端面に固定して接続され、フィルム押圧装置が仕事を終えると、第二液圧シリンダー２９を起動し、第二液圧シリンダー２９が第二液圧棒２８を自身内部に収縮させ、滑り落ち板２６の前端が下方に連動し、スマホホルダー３９にあるスマホが自身重力によって滑り落ち空間２７から本体１０に滑り落ちる。
【００２５】
引き動かし装置は、第二摺動溝４１の下側に設けられる第二引き動かし空間４６と、第二引き動かし空間４６の前後側壁の間に回転自在に設けられる第二引き動かし盤軸４８と、第二引き動かし盤軸４８に固定して設けられる第二引き動かし盤４７と、第二引き動かし盤４７に固定して設けられる引き動かし縄４９と、滑り落ち空間２７の左側に設けられる第一引き動かし空間２２と、第一引き動かし空間２２の前後側壁の間に回転自在に設けられる第一引き動かし盤軸２４と、第一引き動かし盤軸２４に固定して設けられる第一引き動かし盤２３と、第一引き動かし盤２３に固定して設けられる引き動かしロープ２５と、を含み、引き動かしロープ２５とスマホホルダー３９の左端面とが固定して接続され、引き動かし縄４９とスマホホルダー３９の右端面とが固定して接続され、第二引き動かし盤軸４８は、第二引き動かし盤軸４８の後に設けられるモータの出力端と固定して接続され、第一引き動かし盤軸２４は、第一引き動かし盤軸２４の後に設けられるモータの出力端と固定して接続され、洗浄装置が仕事を終えると、第一引き動かし盤軸２４の後側に接続されるモータを起動し、第一引き動かし盤軸２４が連動して回転し、第一引き動かし盤軸２４が第一引き動かし盤２３を回転させ、第一引き動かし盤２３が引き動かしロープ２５を収縮させ、これによってスマホホルダー３９が左方に連動し、この時に引き動かし縄４９が第二引き動かし盤４７を回転連動させ、引き動かし縄４９が第二引き動かし盤４７から脱落し、スマホホルダー３９が仕事空間１８の左側壁と当接する時、第一引き動かし盤軸２４に接続されるモータの回転を止め、滑り落ち装置が仕事を終えると、第二引き動かし盤軸４８に接続されるモータを起動し、第二引き動かし盤軸４８が連動して回転し、第二引き動かし盤軸４８が第二引き動かし盤４７を回転させ、第二引き動かし盤４７が引き動かし縄４９を収縮させ、引き動かし縄４９がスマホホルダー３９を右方に復位するように連動させると同時に、引き動かしロープ２５が第一引き動かし盤２３から脱落する。
【００２６】
作動原理：フィルムをフィルム置き板７６に置き、圧着棒７７を押し、圧着ブロック７８がフィルムの吸着面に貼られている保護シートのシール部分を圧着ブロック７８とフィルム置き板７６との間に押すとともに、第一バックル７９と第二バックル７５とが当接し、圧着棒７７とフィルム置き板７６とをずっと圧着する状態にし、スマホを洗浄空間３２における右側の開口から洗浄空間３２内に置いた時、スマホの重力によってスマホホルダー３９と昇降板４０が下降し、昇降板４０が第一圧縮ばね４２を圧縮しながらエア駆動棒４３を下方に摺動連動させ、エア駆動棒４３がエアシリンダー４４内の空気を圧縮し、空気がエアパイプ４５を通って液体貯蔵溝７３３内に入り、液体貯蔵溝７３３内の圧力の強さが大きくなるため、液体貯蔵溝７３３内の酒精溶液が伸縮管７４４を通って拭きローター３８内に入り、第三電磁ブロック３１を起動し、第三電磁ブロック３１が第三電磁軌道３０の内部で右方に摺動し、リンク３４が右方に連動して中空軸３６を右方に連動させ、中空軸３６が拭きローター３８を右方に連動させ、拭きローター３８がスマホのスクリーンの表面を摺動してきれいに拭き、第三電磁ブロック３１が第三電磁軌道３０の一番右側に移動した時、第三電磁ブロック３１が左方に移動してリンク３４を左方に連動させ、リンク３４が中空軸３６を左方に連動させ、中空軸３６が拭きローター３８を左方に連動させ、スマホのスクリーンが再び拭かれ、埃が全部拭き取られた後、中空軸３６が歯車３７とラック３５とが噛み合うまで左方に移動した時、歯車の係合作用によって、歯車３７が回転して中空軸３６を回転させるとともに、拭きローター３８が当接短板７０と当接し、中空軸３６が回転して拭きローター３８を回転させ、拭きローター３８が回転している間に、埃へら板６７が拭きローター３８の表面に付着の埃をこすりおとすと同時に第四圧縮ばね６８を圧縮し、拭きローター３８は引き続き左方に移動している間には当接短板７０によって当接棒６６を連動させて第三圧縮ばね６５を第三摺動溝６４内まで圧縮し、この時に一つの仕事プロセスが終わり、第三電磁ブロック３１が再び起動すると、リンク３４が右方に移動し、リンク３４が拭きローター３８を右方に連動させ、拭きローター３８が当接短板７０と当接しなくなる時、第四圧縮ばね６８が埃へら板６７を第四摺動溝６９からはじき出し、埃が埃落ち通路から本体１０に排出されると同時に、ファン３３を起動することで、スマホのスクリーンの表面の酒精溶液の揮発を加速させることができ、、洗浄装置が仕事を終えると、第一引き動かし盤軸２４の後側に接続されるモータを起動し、第一引き動かし盤軸２４が連動して回転し、第一引き動かし盤軸２４が第一引き動かし盤２３を回転させ、第一引き動かし盤２３が引き動かしロープ２５を収縮させ、これによってスマホホルダー３９が左方に連動し、この時に引き動かし縄４９が第二引き動かし盤４７を回転連動させ、引き動かし縄４９が第二引き動かし盤４７から脱落し、スマホホルダー３９が仕事空間１８の左側壁と当接する時、第一引き動かし盤軸２４に接続されるモータの回転を止め、第一電磁ブロック１３を起動し、第一電磁ブロック１３が第一液圧シリンダー１４を右方に移動させ、第一電磁ブロック１３が第一電磁軌道１２の一番後側に移動する時、すなわち吸盤５８がフィルムの上方に位置する時、第一液圧シリンダー１４を起動し、第一液圧シリンダー１４が液圧棒１６を下方に連動させ、液圧棒１６が吸盤５８を下方に連動させ、吸盤５８がフィルムを吸着し、第一液圧シリンダー１４を反方向に起動し、第一液圧シリンダー１４が液圧棒１６を上方に連動させ、液圧棒１６が吸盤５８を上方に連動させ、吸盤５８がフィルムを上方に連動させ、フィルムの吸着面に貼られている保護シートが圧着ブロック７８によって押圧されるため、フィルムを保護シートから離すことができ、第一電磁ブロック１３を反方向に起動し、第一電磁ブロック１３が第一液圧シリンダー１４を前方に移動させ、第一電磁ブロック１３が第一電磁軌道１２の前側まで移動すると、第一電磁ブロック１３を止め、第一液圧シリンダー１４を起動すると、第一液圧シリンダー１４が液圧棒１６を下方に移動させ、液圧棒１６が吸盤５８を下方に移動させ、液圧棒１６が液圧溝１５の底部まで移動した時、第一液圧シリンダー１４を止め、左側の摺動板６１と磁性板５７とが面一になり、磁性板５７の磁性作用によって、左側の摺動板６１が左方に連動して第二圧縮ばね６０を引っ張るとともに、左側の通気孔６２における左側の開口が仕事空間１８と連通するため、吸盤５８が密封されなくなり、フィルムの左端が重力によって吸盤５８の吸着作用に影響されずに吸盤５８の下方から脱落すると同時に、第二電磁シリンダー５１を起動し、第二電磁ブロック５１がへら板５０を右方に連動させ、フィルムを左方から右方までスマホのスクリーンに圧着し、第二電磁ブロック５１が引き続き移動し、磁性棒５３が右方に連動して翻転棒５４を右方に連動させ、翻転棒５４が翻転長棒７４を右方に連動させ、翻転長棒７４が第一摺動溝２０に入る時、翻転長棒７４が第五圧縮ばね７３の弾力作用によって第一摺動溝２０の後側壁と当接し、翻転長棒７４と翻転ブロック２１とが当接すると、翻転長棒７４と翻転ブロック２１との間の摩擦作用および翻転ブロック２１の特殊な形状によって、翻転長棒７４が翻転すると同時に翻転棒５４が連動して翻転し、翻転棒５４が磁性棒５３を連動させて翻転させ、これによって磁性棒５３が第二電磁ブロック５１の上端面に対し垂直となり、磁性棒５３がだんだん右側の摺動板６１に近づく時に、磁性棒５３の磁力によって右側の磁性棒５３が右側の第二圧縮ばね６０を引っ張り、右側の通気孔６２における左端の開口が仕事空間１８と連通し、吸盤５８の内部が密封されなくなり、フィルムの右端が吸盤５８から脱落し、翻転長棒７４と翻転ブロック２１とが当接しなくなると、ねじりばね５５の作用によって翻転溝５２と翻転棒５４とが復位すると同時に、第二電磁ブロック５１が移動している間には、へら板５０がフィルムの右端をスマホのスクリーンの表面に圧着し、第一液圧シリンダー１４を起動して液圧棒１６を復位させるとともに、吸盤５８を復位させ、第二電磁ブロック５１が第二電磁軌道１９の一番右端に移動した時、第二電磁ブロック５１を反方向に起動し、再びフィルムを押圧し、第二電磁ブロック５１が第二電磁軌道１９の一番左端に移動した時、第二電磁ブロック５１を止め、仕事プロセスが終わり、フィルム押圧装置が仕事を終えると、第二液圧シリンダー２９を起動し、第二液圧シリンダー２９が第二液圧棒２８を自身内部に収縮させ、滑り落ち板２６の前端が下方に連動し、スマホホルダー３９にあるスマホが自身重力によって滑り落ち空間２７から本体１０に滑り落ち、滑り落ち装置が仕事を終えると、第二引き動かし盤軸４８に接続されるモータを起動し、第二引き動かし盤軸４８が連動して回転し、第二引き動かし盤軸４８が第二引き動かし盤４７を回転させ、第二引き動かし盤４７が引き動かし縄４９を収縮させ、引き動かし縄４９がスマホホルダー３９を右方に復位するように連動させ、引きリング８０を引き動かすことで、第一バックル７８が第二バックル７５と離れ、次回の仕事プロセスを順調に行わせる。
【要約】      （修正有）【課題】スマホへの保護フィルム貼付前に貼付確実にするための貼付面清浄方法を提供する。【解決手段】本発明のスマホのフィルム自動貼付装置は、本体と、本体に設けられる洗浄空間３２と、洗浄空間に設けられる洗浄装置と、洗浄装置の左側に設けられるフィルム押圧装置と、フィルム押圧装置の後側に設けられるフィルム置き装置と、フィルム押圧装置の下側に設けられる滑り落ち装置と、滑り落ち装置の左右両側に設けられる引き動かし装置と、を含み、歯車３７は、ラック３５と噛み合うことができ、拭きローター３８は、当接短板と当接することができる。【選択図】図１【図１】
0006814342.tif 000002
【図２】
0006814342.tif 000003
【図３】
0006814342.tif 000004
【図４】
0006814342.tif 000005
【図５】
0006814342.tif 000006
【図６】
0006814342.tif 000007
【図７】
0006814342.tif 000008
【図８】
0006814342.tif 000009